(57)【要約】【課題】的確に広告情報の対象者を絞り込むことができ、費用対効果の高い広告システムを提供する。【解決手段】広告システム１は、広告主が利用する広告主端末２と、広告主端末２とインターネット１５を介して通信可能な管理サーバ３と、管理サーバ３とインターネット１５を介して通信可能であると共に飲食物を提供するカフェの店内や店外に設置された広告告知端末４とで構成されている。管理サーバ３は、会員情報送信手段１２によって送信された会員情報が対象者要件データベース８に記録された対象者要件を満たす場合に、広告情報データベース７に記録された広告情報を広告告知端末４へ、インターネット１５を介して転送する広告情報転送手段９を備える。【選択図】図１
2009009218.tif 000002
【特許請求の範囲】
【請求項１】
広告主が利用する広告主端末と、該広告主端末と通信可能な管理サーバと、該管理サーバと通信可能であると共に会員情報が入力される広告告知端末とを有する広告システムであって、
前記広告主端末は、広告情報を前記管理サーバへ通信回線を介して送信する広告情報送信手段と、
広告情報が与えられる対象者に関する要件を前記管理サーバへ通信回線を介して送信する対象者要件送信手段とを備え、
前記管理サーバは、前記広告情報送信手段によって送信された広告情報を記録する広告情報記録手段と、
前記対象者情報送信手段によって送信された対象者要件を記録する対象者要件記録手段とを備え、
前記広告告知端末は、会員情報が入力される会員情報入力手段と、
該会員情報入力手段によって入力された会員情報を前記管理サーバへ通信回線を介して送信する会員情報送信手段とを備え、
前記管理サーバは、該会員情報送信手段によって送信された会員情報が前記対象者要件記録手段に記録された対象者要件を満たす場合に、前記広告情報記録手段に記録された広告情報を前記広告告知端末へ通信回線を介して転送する広告情報転送手段を備え、
前記広告告知端末は、該広告情報転送手段によって転送された広告情報を告知する広告情報告知手段を備える
ことを特徴とする広告システム。
【請求項２】
前記広告告知端末は、カフェに設置される
ことを特徴とする請求項１に記載の広告システム。
【請求項３】
前記広告情報にクーポン情報が付帯していると共に、該クーポン情報は前記広告告知端末が設置された場所で利用できる情報と広告主が提供する商品サービスに対して利用できる情報とを含み、
前記広告告知端末は、前記クーポン情報を紙媒体に出力するクーポン情報出力手段を備える
ことを特徴とする請求項１に記載の広告システム。
【請求項４】
前記管理サーバは、前記会員情報送信手段によって送信された会員情報を受信した場合に、ポイント数を前記会員情報に加算する情報を前記広告告知端末へ通信回線を介して送信するポイント数加算情報送信手段を備える
ことを特徴とする請求項１に記載の広告システム。
【請求項５】
広告主が利用する広告主端末と通信可能であると共に、会員情報が入力される広告告知端末と通信可能な管理サーバを有する広告システムであって、
前記管理サーバは、前記広告主端末から通信回線を介して、広告情報を受信する広告情報受信手段と、
前記広告主端末から通信回線を介して、広告情報が与えられる対象者に関する要件を受信する対象者要件受信手段と、
前記広告情報受信手段によって受信した広告情報を記録する広告情報記録手段と、
前記対象者要件受信手段によって受信した対象者要件を記録する対象者要件記録手段と、
前記広告告知端末から通信回線を介して、前記広告告知端末に入力された会員情報を受信する会員情報受信手段と、
該会員情報受信手段によって受信した会員情報が前記対象者要件記録手段に記録された対象者要件を満たす場合に、前記広告情報記録手段に記録された広告情報を前記広告告知端末へ通信回線を介して転送する広告情報転送手段とを備える
ことを特徴とする広告システム。
【請求項６】
前記広告告知端末は、カフェに設置される
ことを特徴とする請求項５に記載の広告システム。
【請求項７】
前記広告情報にクーポン情報が付帯していると共に、該クーポン情報は前記広告告知端末が設置された場所で利用できる情報と広告主が提供する商品サービスに対して利用できる情報とを含み、
前記クーポン情報は、前記広告告知端末で紙媒体に出力される
ことを特徴とする請求項５に記載の広告システム。
【請求項８】
前記管理サーバは、前記会員情報受信手段によって会員情報を受信した場合に、ポイント数を前記会員情報に加算する情報を前記広告告知端末へ通信回線を介して送信するポイント数加算情報送信手段を備える
ことを特徴とする請求項５に記載の広告システム。
【発明の詳細な説明】
【技術分野】
【０００１】
本発明は広告システムに関する。詳しくは、広告情報の対象者を絞り込む広告システムに係るものである。
【背景技術】
【０００２】
各地域に密着した会社や飲食店等は、従来、新聞の折込広告やダイレクトメールを使って、各地域の会社や飲食店等がその地域で提供している商品やサービスを広告していた。また、雑誌やテレビ等の放送媒体を通した広告も一般的であった。
【０００３】
また、テレビジョン放送のコンテンツ内に広告情報を挿入して広告料を得ることにより、テレビジョン放送等の視聴は無料化されている。この場合、広告料は、コンテンツ提供事業者における事業利益となり、またはコンテンツ制作費用に充てられる。広告主は、家電製品や薬品等の商品、または各種サービスを有料で提供する事業主である。広告情報をコンテンツ内に挿入することにより広告された商品やサービスへ顧客吸引力が高まり、販売活動が促進されることにより、広告主は支払った広告料相当の利益を得ることを期待する。また、コンテンツの視聴者は、配信されたコンテンツを無料で視聴することができるが、広告情報を視聴する形式で、実質上の受信料を支払っているという側面もある。
【０００４】
また、インターネットの普及により、インターネットを利用した宣伝広告または情報提供サービスも普及しており、例えば特許文献１には、製造業者によって製造され小売業者を介して消費者に販売される製品に関する情報を、通信ネットワークを介して消費者に配布し、通信ネットワークは消費者通信ノードを共同ネットワークサイトに接続し、共同ネットワークサイトは製造業者の製品提供及び小売業者の特売品に関する情報を有し、消費者は、製造業者ネットワークサイトまたは小売業者ネットワークサイトにログインするだけで、選択した情報を得ることができ、消費者は、製造業者サイトまたは小売業者サイトで、提供品または特売品のリストを得た後、それを選択して詳細を受信する方法が記載されている。
【０００５】
また、特許文献２には、広告媒体となるウェブページまたはホームページ上に広告を掲載するためのインターネット広告システムにおいて、広告の広告主から提供された広告情報を、ウェブページまたはホームページ上に掲載するための広告掲載手段を含み、閲覧者が操作する閲覧者端末によって広告上に入力されたレスポンス情報を、広告掲載手段及び／または広告の広告主が指定する情報管理手段に送信するインターネット広告システムが記載されている。
【０００６】
【特許文献１】特開２０００−９９５７９号公報
【特許文献２】特開２００１−２５６３９７号公報
【発明の開示】
【発明が解決しようとする課題】
【０００７】
しかしながら、従来のシステムでは、充分に広告情報の対象者を絞り込んでおらず、費用対効果を高くするには困難であった。
【０００８】
本発明は、以上の点に鑑みて創案されたものであり、的確に広告情報の対象者を絞り込むことができ、費用対効果の高い広告システムを提供することを目的とする。
【課題を解決するための手段】
【０００９】
上記の目的を達成するために、本発明の広告システムは、広告主が利用する広告主端末と、該広告主端末と通信可能な管理サーバと、該管理サーバと通信可能であると共に会員情報が入力される広告告知端末とを有する広告システムであって、前記広告主端末は、広告情報を前記管理サーバへ通信回線を介して送信する広告情報送信手段と、広告情報が与えられる対象者に関する要件を前記管理サーバへ通信回線を介して送信する対象者要件送信手段とを備え、前記管理サーバは、前記広告情報送信手段によって送信された広告情報を記録する広告情報記録手段と、前記対象者情報送信手段によって送信された対象者要件を記録する対象者要件記録手段とを備え、前記広告告知端末は、会員情報が入力される会員情報入力手段と、該会員情報入力手段によって入力された会員情報を前記管理サーバへ通信回線を介して送信する会員情報送信手段とを備え、前記管理サーバは、該会員情報送信手段によって送信された会員情報が前記対象者要件記録手段に記録された対象者要件を満たす場合に、前記広告情報記録手段に記録された広告情報を前記広告告知端末へ通信回線を介して転送する広告情報転送手段を備え、前記広告告知端末は、該広告情報転送手段によって転送された広告情報を告知する広告情報告知手段を備えることを特徴とする。
【００１０】
ここで、会員情報送信手段によって送信された会員情報が対象者要件記録手段に記録された対象者要件を満たす場合に、広告情報記録手段に記録された広告情報を広告告知端末へ通信回線を介して転送する広告情報転送手段によって、広告情報を、広告主が希望する対象者に与えることができ、また、非対象者への広告情報付与を減らすことができる。
【００１１】
また、本発明の広告システムにおいて、広告告知端末は、カフェに設置される場合、カフェは広告主からの広告料収入が入るため飲食物提供の対価を安く設定できると共にカフェ形式であるため気軽に消費者が立ち寄ることができ、カフェ利用者数の増大から会員数の増大を期待できる。
【００１２】
また、本発明の広告システムにおいて、広告情報にクーポン情報が付帯していると共に、クーポン情報は広告告知端末が設置された場所で利用できる情報と広告主が提供する商品サービスに対して利用できる情報とを含む場合、広告主の店舗等での割引情報も含まれているので、後日、クーポン情報を利用するために、対象者となった会員はクーポン情報を保存しようとし、広告主の店舗等への来店の契機も与えられる。
また、広告告知端末は、クーポン情報を紙媒体に出力するクーポン情報出力手段を備える場合、クーポン情報の保存性が高くなる。
【００１３】
また、本発明の広告システムにおいて、管理サーバは、会員情報送信手段によって送信された会員情報を受信した場合に、ポイント数を会員情報に加算する情報を広告告知端末へ通信回線を介して送信するポイント数加算情報送信手段を備える場合、会員は、ポイント数を加算してもらうため、広告告知端末が設置された場所に積極的に出向くようになる。
【００１４】
また、上記の目的を達成するために、本発明の広告システムは、広告主が利用する広告主端末と通信可能であると共に、会員情報が入力される広告告知端末と通信可能な管理サーバを有する広告システムであって、前記管理サーバは、前記広告主端末から通信回線を介して、広告情報を受信する広告情報受信手段と、前記広告主端末から通信回線を介して、広告情報が与えられる対象者に関する要件を受信する対象者要件受信手段と、前記広告情報受信手段によって受信した広告情報を記録する広告情報記録手段と、前記対象者要件受信手段によって受信した対象者要件を記録する対象者要件記録手段と、前記広告告知端末から通信回線を介して、前記広告告知端末に入力された会員情報を受信する会員情報受信手段と、該会員情報受信手段によって受信した会員情報が前記対象者要件記録手段に記録された対象者要件を満たす場合に、前記広告情報記録手段に記録された広告情報を前記広告告知端末へ通信回線を介して転送する広告情報転送手段とを備えることを特徴とする。
【００１５】
ここで、会員情報受信手段によって受信した会員情報が対象者要件記録手段に記録された対象者要件を満たす場合に、広告情報記録手段に記録された広告情報を広告告知端末へ通信回線を介して転送する広告情報転送手段によって、広告情報を、広告主が希望する対象者に与えることができ、また、非対象者への広告情報付与を減らすことができる。
【発明の効果】
【００１６】
本発明に係る広告システムは、的確に広告情報の対象者を絞り込むことができ、費用対効果を高めることができる。
【発明を実施するための最良の形態】
【００１７】
以下、本発明の実施の形態について図面を参照しながら説明し、本発明の理解に供する。
図１は、本発明を適用した広告システムの一構成例を説明する概略図である。図１において、本発明の広告システム１は、広告主が利用する広告主端末２と、広告主端末２とインターネット（通信回線の一例である。）１５を介して通信可能な管理サーバ３と、管理サーバ３とインターネット１５を介して通信可能であると共に飲食物を提供するカフェの店内や店外に設置された広告告知端末４とで構成されている。
また、本発明の広告システムを利用しようとする消費者は、事前に名前、住所、性別、誕生日、配偶者の有無、興味がある分野等の情報を管理サーバ３に登録して会員となり、会員となった消費者は会員カード１６を所持する。
【００１８】
また、広告主端末２は、広告情報（広告しようとする商品やサービスに関する情報、広告主に関する情報等）を、インターネット１５を介して管理サーバ３へ送信する広告情報送信手段５と、広告情報が与えられる、会員の中から選ばれる対象者に関する要件を管理サーバ３へ、インターネット１５を介して送信する対象者要件送信手段６とを備える。
また、広告情報にはクーポン情報が付帯しており、クーポン情報は広告告知端末が設置された場所（例えばカフェ）で利用できる情報と、広告主に関する情報（例えば広告主の社名及び所在地）と、広告主が提供する商品サービスに対して利用できる情報（例えばクーポン券持参の者に対して商品全品を半額割引）とを含む。
【００１９】
また、管理サーバ３は、広告情報送信手段５によって送信された広告情報を記録する広告情報データベース（広告情報記録手段の一例である。）７と、対象者情報送信手段６によって送信された対象者要件を記録する対象者要件データベース（対象者要件記録手段の一例である。）８とを備える。
【００２０】
また、広告告知端末４は、会員カード１６に記録されている会員情報が入力される会員情報入力手段１１と、会員情報入力手段１１によって入力された会員情報を管理サーバ３へインターネット１５を介して送信する会員情報送信手段１２とを備える。
ここで、会員情報の入力は、例えば、会員が会員情報入力手段１１のカード挿入口に会員カード１６を挿入するか、会員カード１６が非接触型カードとなっており会員カード１６の抜き差しをすることなく会員情報が会員情報入力手段１１に入力されるか、あるいはカフェの店員に会員情報を口頭で伝えてカフェ店員が会員情報入力手段１１に入力することによって行なわれる。
【００２１】
また、管理サーバ３は、会員情報送信手段１２によって送信された会員情報が対象者要件データベース８に記録された対象者要件を満たす場合に、広告情報データベース７に記録された広告情報を広告告知端末４へ、インターネット１５を介して転送する広告情報転送手段９を備える。
また、管理サーバ３は、会員情報送信手段１２によって送信された会員情報を受信した場合に、ポイント数を会員情報に加算する情報を広告告知端末４へ、インターネット１５を介して送信するポイント数加算情報送信手段１０を備える。
また、管理サーバ３は、どれだけ広告情報を広告告知端末へ転送したかを、広告主端末へ知らせる広告情報転送状況の通知を行なってもよい。
【００２２】
また、広告告知端末４は、広告情報転送手段９によって転送された広告情報を告知する広告情報告知手段１３と、クーポン情報を紙媒体に出力するクーポン情報出力手段１４とを備える。
ここで、広告情報の告知の態様としては、音声による告知や、文字及び映像による告知が挙げられる。
【００２３】
ここで、広告告知端末４は、飲食物を提供するカフェに設置されているが、必ずしもカフェに設置されなくてもよく、例えば集客力がある大型施設、公共交通機関、コンビニエンスストア、地域の商店街に設置してもよい。
また、加算されるポイントは電子マネーであってもよく、また、クーポン情報にも、付与される電子マネーの情報が含まれていてもよい。
また、通信回線であれば、必ずしもインターネットを用いなくてもよく、ＬＡＮ回線や専用回線であってもよい。
【００２４】
図２は、広告主端末の対象者要件入力画面とクーポン情報編集画面の一例を示す概略図である。
広告主は、図２に示すような広告主端末の画面において、広告情報が与えられる対象者の要件を設定すると共に、広告情報に付帯するクーポン情報を作成する。即ち、広告主は、対象者要件入力領域１７において、広告告知端末が設置されているエリア（店舗）のうちクーポン情報付き広告情報を配信するエリアを設定するための「対象エリア」の欄、クーポン情報付き広告情報を配信する年月日を設定するための「配布日」の欄、クーポン情報付き広告情報を配信する時間帯を設定するための「開始時間」の欄と「終了時間」の欄、クーポン情報付き広告情報の配信回数を設定するための「最大配布枚数」の欄、及びクーポン情報付き広告情報が配信される対象者の年齢を設定するための「年齢」の欄それぞれに対象者の要件を入力し、「男性」「女性」「誕生月」「独身」「既婚（子供あり）」の項目と、対象分野選択領域１８に示された「お得」「グルメ」「旅行」「美容」「健康・ダイエット」「音楽・映画」「アミューズメント」「最新家電」「車・バイク」の項目の中から項目を選択する。
【００２５】
また、広告主は、広告主端末の画面において、広告情報と共に広告告知端末において告知され、紙媒体に出力されるクーポン情報の内容を編集する。即ち、広告主は、クーポン情報編集領域１９のうち、割引情報編集領域２０において、広告告知端末が設置されているカフェ（名称：コラボカフェ）にてカフェを訪れた会員のうち対象者要件を満たす会員が受けられる割引情報を編集し、また、広告主情報編集領域２１において、広告主の名称、所在地、電話番号等を編集し、そして、広告情報編集領域２２において、広告主が提供する商品やサービスに対する割引情報を編集する。
【００２６】
次に、本発明の広告システムの流れについて説明する。
広告主は、広告主端末２を用いて、図２に示すような対象者要件入力領域１７において、広告情報が与えられる対象者の要件を入力し、対象者要件を、インターネット１５を介して管理サーバ３へ送信すると共に、広告情報を、インターネット１５を介して管理サーバ３へ送信する。また、広告主は、図２に示すようなクーポン情報編集領域１９において、広告情報に付帯して広告情報と共に広告告知端末において告知され、紙媒体に出力されるクーポン情報の内容を編集する。
次に、送信された対象者要件や広告情報は、管理サーバ３の対象者要件データベース８や広告情報データベース７にそれぞれ記録される。
そして、名前、住所、性別、誕生日、配偶者の有無、興味がある分野等の情報を管理サーバ３に登録して会員となった消費者が、対象者要件に含まれるカフェを訪れて、カフェに設置された広告告知端末４に会員情報が入力される。
次に、入力された会員情報は、広告告知端末４からインターネット１５を介して管理サーバ３へ送信される。そして、管理サーバ３は、送信された会員情報が対象者要件データベース８に記録された対象者要件を満たす場合に、広告情報データベース７に記録された広告情報を広告告知端末４へ、インターネット１５を介して転送する。即ち、図２に示す対象者要件によると、広告告知端末が設置された福岡天神にあるカフェに、２００７年１２月２４日の１６時から１９時までの間に、会員情報として登録した「興味がある分野」に「お得」情報が含まれる年齢１８〜２４歳の独身女性会員が訪れて会員情報が広告告知端末４に入力され、会員情報が管理サーバ３へ送信されると、管理サーバ３から、図２に示すクーポン情報が付帯した広告情報が広告告知端末４へ、インターネット１５を介して転送される。
また、この広告情報に付帯したクーポン情報は、広告告知端末４において紙媒体に出力される。
【００２７】
また、対象者要件を満たさない会員例えば独身男性会員が、広告告知端末が設置された福岡天神にあるカフェに訪れた場合、クーポン情報が付帯した広告情報は、管理サーバ３から広告告知端末４へ転送されないが、会員情報を受信した管理サーバ３は、独身男性会員の会員情報にポイント数を加算するポイント数加算情報を広告告知端末４へ送信する。なお、会員情報を受信した管理サーバ３が、会員情報にポイント数を加算するポイント数加算情報を広告告知端末４へ送信するので、対象者要件を満たす会員の会員情報にもポイント数が加算される。
【００２８】
このように、本発明の広告システムは、会員情報送信手段によって送信された会員情報が対象者要件記録手段に記録された対象者要件を満たす場合に、広告情報記録手段に記録された広告情報を広告告知端末へ通信回線を介して転送するので、広告情報を、広告主が希望する対象者に与えることができ、また、非対象者への広告情報付与を減らすことができ、よって、的確に広告情報の対象者を絞り込むことができ、費用対効果を高めることができる。
【００２９】
また、広告告知端末は、カフェに設置されているので、カフェは広告主からの広告料収入が入るため飲食物提供の対価を安く設定できると共にカフェ形式であるため気軽に消費者が立ち寄ることができ、カフェ利用者数の増大から会員数の増大を期待できる。
【００３０】
また、広告情報にクーポン情報が付帯していると共に、クーポン情報は広告告知端末が設置された場所で利用できる情報と広告主が提供する商品サービスに対して利用できる情報とを含むので、広告主の店舗等での割引情報も含まれており、後日、クーポン情報を利用するために、対象者となった会員はクーポン情報を保存しようとし、広告主の店舗等への来店の契機も与えられる。
また、広告告知端末は、クーポン情報を紙媒体に出力するクーポン情報出力手段を備えるので、クーポン情報の保存性が高くなる。
【００３１】
また、管理サーバは、会員情報送信手段によって送信された会員情報を受信した場合に、ポイント数を会員情報に加算する情報を広告告知端末へ通信回線を介して送信するポイント数加算情報送信手段を備えるので、会員は、ポイント数を加算してもらうため、広告告知端末が設置された場所に積極的に出向くようになる。
また、加算されるポイントを電子マネーとし、広告告知端末を集客力がある大型施設、公共交通機関、コンビニエンスストア、地域の商店街等に設置することで、広告主側のリアルタイムピンポイントエリアターゲッティングが可能となり、より地域に密着した仕組み作りで地域活性化に貢献できる。
【００３２】
また、会員登録する際に、広告主が意図する項目を設けて消費者に入力させることで、広告主にとって有利なセグメント化が可能となる。即ち、例えば広告主が大手携帯電話会社の場合、会員登録する際に「利用携帯電話会社」の項目を消費者に入力してもらうことで、対象者要件を満たして広告情報が転送される状況が広告主端末へ通知（フィードバック）されるので、広告主である大手携帯電話会社は、会員が自社利用か他社利用かを区分けでき、広告主にとって有利なセグメント化ができる。
また、会員カードをかざして広告告知端末に会員情報が入力される際に、広告告知端末に表示される広告主からの質問事項に対して回答し、回答情報を会員情報と共に会員情報送信手段で管理サーバへ送信し、対象者要件を満たすかどうかにかかわらず、会員情報にポイント数を加算する情報を、管理サーバから広告告知端末へ送信することで、簡単で低価格なマーケティングリサーチを行なうことができる。
【図面の簡単な説明】
【００３３】
【図１】本発明を適用した広告システムの一構成例を説明する概略図である。
【図２】広告主端末の対象者要件入力画面とクーポン情報編集画面の一例を示す概略図である。
【符号の説明】
【００３４】
１    広告システム
２    広告主端末
３    管理サーバ
４    広告告知端末
５    広告情報送信手段
６    対象者要件送信手段
７    広告情報データベース
８    対象者要件データベース
９    広告情報転送手段
１０    ポイント数加算情報送信手段
１１    会員情報入力手段
１２    会員情報送信手段
１３    広告情報告知手段
１４    クーポン情報出力手段
１５    インターネット
１６    会員カード
１７    対象者要件入力領域
１８    対象分野選択領域
１９    クーポン情報編集領域
２０    割引情報編集領域
２１    広告主情報編集領域
２２    広告情報編集領域
【図１】
2009009218.tif 000003
【図２】
2009009218.tif 000004